(57)【要約】      （修正有）【課題】ベルトコンベアから落下する鉱石やコークスなどの塊状体や粉粒体を回収する装置を提供する。【解決手段】ベルトコンベアの直下に、上方を開口部とする溝状部材２を両端で高低差が生じるように配置し、前記溝状部材２で上方となる一端側に獅子脅し式洗浄水供給装置１を、下方となる他端側には集水樋３を配置し、前記集水樋の下方には集水ピット４を設ける。【選択図】図１
2007269443.tif 000002
【特許請求の範囲】
【請求項１】
ベルトコンベアの直下に、上方を開口部とする溝状部材を両端で高低差が生じるように配置し、前記溝状部材で上方となる一端側に獅子脅し式洗浄水供給装置を、下方となる他端側には集水樋を配置し、前記集水樋の下方には集水ピットを設けたことを特徴とする落鉱回収装置。
【発明の詳細な説明】
【技術分野】
【０００１】
本発明は、ベルトコンベアから落下する搬送物を回収する装置に関し、鉱石やコークスなどの塊状体や粉粒体の回収に好適なものに関する。
【背景技術】
【０００２】
ベルトコンベアによる搬送では、搬送後のベルトリターン経路において、ベルトに付着残留した搬送物が落下する。搬送物が鉱石、石炭、コークス等の原材料の場合、このような現象を落鉱と称し、原材料の損失、人的災害または作業環境の悪化をもたらす。
【０００３】
そのため、落鉱防止板をベルトコンベア経路に沿ってその下方に設置することが一般的に行われるが、落鉱防止から落鉱した原材料の回収に関しては種々の提案がなされている。
【０００４】
特許文献１は、粉状落鉱石処理装置に関し、鉱物搬送コンベアのプーリーおよびベルトクリーナの下部に落鉱処理傾斜板を設け、当該落鉱処理傾斜板を振動させて落鉱を処理すること、及び、上下ベルトコンベアの設置間隔を狭くすることが可能なため、設置場所も小さく工場レイアウトに及ぼす影響も小さいことが記載されている。
【０００５】
特許文献２は、上下ベルトの乗り継ぎ部に設置される落鉱処理装置に関し、上ベルトのプーリ及び上ベルトの戻りベルトの直下に配置される、フラットな床面にＬ字型断面の形鋼を取り付けた補助ベルトを取り付けて落鉱を回収する装置が記載されている。
【０００６】
特許文献３は、鉱物搬送コンベアの乗り継ぎ部における落鉱処理装置に関し、乗り継ぎ部の下方に傾斜床を配置し、当該傾斜床の床面上に間歇的に放水して落鉱を除去し、落鉱を集水落鉱ピット内に集積回収することが記載されている。
【０００７】
特許文献４は、水洗式落鉱処理方法に関し、ベルトコンベアの裏ベルトから床面に落ちた落鉱粉をカメラにより観察し、当該落鉱粉の特性とその落鉱量に応じて決定した条件で水洗を行い、落鉱粉を洗い流すことが記載されている。
【０００８】
特許文献５は、落鉱回収用のホッパーが一つですむ、コンベヤーにおける原材料の回収装置に関する。プーリーＰ１とプーリーＰ２に巻きかけられたベルト３１はリターン側の、かき取り手段３２、３３の上方で反転し、落鉱ｇはかき取り手段３２、３３で回収される。
【０００９】
かき取り手段３２（３３）はベルト３２ｂ（３３ｂ）の表面に落鉱ｇをかき集める複数のアタッチメント３２ａ（３３ａ）が取り付けられ、ベルト３２ｂ（３３ｂ）はチェーンコンベアで駆動される（図４参照）。
【００１０】
かき取り手段３２で集めた落鉱ｇはバケットコンベア３４で、ベルト３１のリターン側の表面に載せられ、かき取り手段３３の上方において再度ベルトが反転することにより床上に落下する。この際の落鉱ｇは落鉱回収用コンベア３５により回収ホッパーｈに移送される。
【特許文献１】特開昭５０−１４１０８３号公報
【特許文献２】特開昭５０−１４３２８７号公報
【特許文献３】実開平５−３７７３７号公報
【特許文献４】特開平８−１６５０１６号公報
【特許文献５】特開平６−２４７５３３号公報
【発明の開示】
【発明が解決しようとする課題】
【００１１】
ところで、鉱石や石灰など原料のベルトコンベア搬送は以下に述べる特徴を有する。鉱石や石灰は付着性を有し、落鉱はベルトコンベア全長に亘って発生する。また、鉱石や石灰などの原料ヤードは、広大で、ベルトコンベアは通路をまたいで配置されることが多い。更に、原料供給は不断なく実施されることが必要で、ベルトコンベアを停止することは滅多にない。
【００１２】
特許文献１，２記載の装置は、乗り継ぎ部など特定個所における落鉱を回収処理するもので、ベルト全長に亘って発生する落鉱を回収処理しようとすると膨大な設備費が必要とされる。
【００１３】
特許文献３記載の装置は、傾斜面を床面に設置する構造のため、風などにより飛散する落鉱を受け止めようとすると装置全体を大きくしなければならず、更に通路を跨ぐように配置されるベルトコンベアには適用できない。
【００１４】
特許文献４記載の装置は、洗浄用ノズルを必要とし、特許文献５記載の装置もかきとり装置や回収用バケットコンベアが必要で、高額な、設備費と維持費が必要となる。
【００１５】
そこで、本発明は安価な、設備費と維持費で上記課題を解決する、落鉱回収装置および方法を提供することを目的とする。
【課題を解決するための手段】
【００１６】
本発明の課題は以下の手段により達成可能である。
１．ベルトコンベアの直下に、上方を開口部とする溝状部材を両端で高低差が生じるように配置し、前記溝状部材で上方となる一端側に獅子脅し式洗浄水供給装置を、下方となる他端側には集水樋を配置し、前記集水樋の下方には集水ピットを設けたことを特徴とする落鉱回収装置。
【発明の効果】
【００１７】
本発明によれば以下の効果が得られ、産業上極めて有用である。
１．洗浄水を供給する装置の水量や供給時期を調整する制御系が不要で、安価な設備費で設置可能である。
２．洗浄水を供給する装置が簡単な構造のため、ベルトコンベアと溝状部材との間隔を狭くでき、風などによる落鉱飛散が抑制される。
３．洗浄水を間欠的に流すことが可能なため、保守点検費用の低減が可能である。
４．獅子脅し式により蓄積した洗浄水を一気に放出するため、高圧水を使用する場合と同等以上の洗浄能力を有し、また、高圧水にする必要がないため、ランニングコストを低減することが可能である。
【発明を実施するための最良の形態】
【００１８】
以下、図面を用いて本発明を説明する。
図１は本発明の一実施例に係る落鉱回収装置の構造を説明する模式図で、図において１
は、獅子脅し式洗浄水供給装置、２は落鉱防止板で溝状部材、３は集水樋、４は集水ピット、５はベルトコンベアフレーム、６はキャリアローラー、７は送り側ベルト、８は返り側ベルト、９はリターンローラー、２０は排水溝を示す。
【００１９】
本発明に係る落鉱回収装置は、キャリアローラー６で支持される送り側ベルト７とリターンローラー９で支持される返り側ベルト８を囲むベルトコンベアフレーム５の下方に配置される、溝状部材２と獅子脅し式洗浄水供給装置１と集水樋３と集水ピット４を備える。
【００２０】
溝状部材２は落鉱防止板を兼ね、ベルトコンベアフレーム５の下方で、返り側ベルト８の直下に配置される。溝状部材２は、返り側ベルト８からの落鉱を受け止め、返り側ベルト８に沿って洗浄水が流れるように開口部を上方にして配置する。
【００２１】
また、溝状部材２はその両端に高低差が生じるように配置し、上方となる一端には獅子脅し式洗浄水供給装置を取り付ける。
【００２２】
図２に獅子脅し式洗浄水供給装置１の構成の一例を示す。トラフ１１に、給水配管１３から洗浄水が供給されると、容器重心が移動して、回転軸受け１０の軸心周りで、図中点線で示す傾斜姿勢に傾動して、トラフ１１内に貯水された洗浄水を溝状部材２内に供給する。
【００２３】
トラフ１１には洗浄水を供給後、初期状態に復帰するようにカウンターウエイト１２を取り付ける。洗浄水を供給する間隔は給水配管１３に取り付けたバルブ１４の開度を調整して行う。
【００２４】
獅子脅し式洗浄水供給装置は、ベルトコンベアフレーム５の支持柱などの、溝状部材２より上方となる位置に取り付ける。
【００２５】
図３はベルトコンベアフレーム５の支持柱１６に獅子脅し式洗浄水供給装置をブラケット１５を介して取り付けた状態を示す。取り付け位置は支持柱１７に支持される溝状部材２の上方とする。
【００２６】
溝状部材２の下方となる他端には集水樋３を取り付け、その下方には集水ピット４を設ける。集水ピット４は内部に堰を設ける。上澄み液ｂは排水溝に排出され、落鉱ａが内部に蓄積されるので適宜回収する。
【００２７】
尚、溝状部材２は、複数のベルトコンベアフレーム５の下方に配置しても良く、その長さは特に規定しない。溝状部材２は例えば、薄鋼板を折り曲げて製造する。
【００２８】
また、本発明は、溝状部材２の両端に高低差があれば作用効果が得られ、ベルトコンベアは水平に配置されても良い。
【図面の簡単な説明】
【００２９】
【図１】本発明例。
【図２】本発明の洗浄水供給装置を説明する図。
【図３】図２に示した洗浄水供給装置の配置位置を説明する図。
【図４】従来例。
【符号の説明】
【００３０】
１    獅子脅し式洗浄水供給装置
２    溝状部材
３    集水樋
４    集水ピット
５    ベルトコンベアフレーム
６    キャリアローラー
７    送り側ベルト
８    返り側ベルト
９    リターンローラー
１０    回転軸受け
１１    トラフ
１２    カウンターウエイト
１３    給水配管
１４    バルブ
１５    ブラケット
１６、１７    支持柱
２０    排水溝
Ｐ１，Ｐ２    プーリー
３１，３２ｂ，３３ｂ    ベルト
３２（３３）    かき取り手段
３２ａ（３３ａ）    アタッチメント
３４    バケットコンベア
３５    落鉱回収用コンベア
ｇ    落鉱
ｈ    回収ホッパー
【図１】
2007269443.tif 000003
【図２】
2007269443.tif 000004
【図３】
2007269443.tif 000005
【図４】
2007269443.tif 000006